(57)【要約】【課題】屋根の下地への瓦ユニットの取り付けが簡単で、かつ、下地と瓦ユニットの間の隙間に水が溜まりにくい金属瓦屋根およびその施工方法を提供することを目的としている。【解決手段】金属瓦屋根１は、屋根の下地に瓦桟木を固定するとともに、この瓦桟木に瓦ユニット上端の固定片１２ａおよび吊り子２２を固定してなる。瓦桟木は、軒の長手方向に複数のブロック台２１を並べて形成されるものであり、かつ、これらのブロック台２１の間に、屋根の下地を流れる水の水路用間隙を備えている。ブロック台２１は、角柱状であり、この角柱側面が固定片１２ａを支持する台面となっているとよい。【選択図】図２
2006257635.tif 000002
【特許請求の範囲】
【請求項１】
屋根の下地に瓦桟木を固定するとともに、この瓦桟木に瓦ユニット上端の固定片および吊り子を固定してなる金属瓦屋根であって、
前記瓦桟木は、軒の長手方向に複数のブロック台を並べて形成されるものであり、かつ、これらのブロック台の間に、前記屋根の下地を流れる水の水路用間隙を備えることを特徴とする金属瓦屋根。
【請求項２】
前記ブロック台が角柱状であり、この角柱側面が前記固定片を支持する台面である、請求項１記載の金属瓦屋根。
【請求項３】
屋根の勾配に沿って下から上に向けて瓦ユニットを一列ずつ屋根の下地に固定するようにした金属瓦屋根の施工方法であって、
Ａ．屋根の下地の軒先端に一列目の瓦ユニットを位置決めする工程、
Ｂ．この瓦ユニット上端の固定片の下側にブロック台を、上側に吊り子を重ねてこれらを一体的に前記屋根の下地に釘で固定する工程、
Ｃ．工程Ｂにより屋根の下地に固定された一列目の瓦ユニットの吊り子に、二列目の瓦ユニット下端の係止片を引っ掛けて二列目の瓦ユニットを位置決めする工程、
Ｄ．工程Ｃにより位置決めされた瓦ユニット上端の固定片の下側にブロック台を、上側に吊り子を重ねてこれらを一体的に前記屋根の下地に釘で固定する工程、
Ｅ．工程ＣおよびＤを繰り返すことにより、三列目以降の瓦ユニットを屋根の下地に固定する工程
を含むことを特徴とする金属瓦屋根の施工方法。
【発明の詳細な説明】
【技術分野】
【０００１】
本発明は、金属瓦屋根およびその施工方法に関するものである。
【背景技術】
【０００２】
近年、屋根の瓦材として、軽量で耐久性に優れた金属瓦が用いられることが多くなっている。金属瓦屋根は、屋根の下地に金属製の瓦ユニットを複数並べ、隣り合うユニット同士を軒の長手方向と高さ方向に連結して構成される。これらの瓦ユニットの連結部分のうち、高さ方向の連結手段としては、通常、瓦桟木と吊り子とが用いられている。
【０００３】
金属瓦屋根を施工方法は、例えば、次の工程によることができる。
ａ．まず、屋根の下地に瓦桟木を釘で打ち付ける。瓦桟木は、軒の長手方向に連なるように平行線上に配置し、これらの瓦桟木の間には、瓦ユニットの上下幅程度の間隔を保つ。瓦桟木を打ち付ける位置は、予め墨出し等によって定めておく。
ｂ．最下位の瓦桟木に一列目の瓦ユニット上端の固定片を釘で打ち付け、この固定釘により同時に固定片に吊り子を固定する。
ｃ．最下位より２番目の瓦桟木に二列目の瓦ユニットの上端固定片を釘で打ち付ける。この際、二列目の瓦ユニット下端の係止片を、一列目の瓦ユニットの吊り子に引っ掛けて止める。
ｄ．三列目以降の瓦ユニットを、工程ｃと同様な方法で、より上側の瓦桟木と吊り子に止めていく。
なお、このような金属瓦屋根の構造に関する技術としては、例えば特許文献１、２等が開示されている。
【０００４】
【特許文献１】特開平１１−１４１０５７号公報
【特許文献２】特開２０００−１１０３０５号公報
【発明の開示】
【発明が解決しようとする課題】
【０００５】
しかしながら、このような従来の金属瓦屋根の施工方法によると、屋根の下地に墨出し等を行って瓦桟木を固定する作業が煩雑で手間がかかる。仮に瓦桟木の上下の間隔が瓦ユニットの上下幅の寸法に合っていないと、瓦桟木の間に瓦ユニットを位置決めできないことになり、このようなときには、打ち付けた瓦桟木を一旦外して再度打ち直す作業が必要になってしまう。
また、屋根の下地と瓦ユニットの間の隙間には、風雨などにより水が浸入することがあるが、従来の金属瓦屋根の構造では、このような水が屋根の下地を伝って瓦桟木で堰き止められるため、野地板や防水シート（ルーフィングシート）等の上に水が溜まって、これらの下地素材の腐蝕・劣化の原因になりやすい。
【０００６】
これに対し、図８に示すように、瓦桟木Ｐ１の下側に水抜き用の溝（ウォータホール）Ｐｍを設けて排水機能をもたせたものが知られているが、このような瓦桟木Ｐ１を用いると、瓦桟木Ｐ１の上から溝Ｐｍが見えないため、固定釘Ｐ２が溝Ｐｍにかかった状態で下地Ｐ３に打ち込まれることがあり、このような場合には、図８矢印に示すように、溝に入った水が固定釘Ｐ２の打ち込み部分から下地Ｐ３に浸透しやすくなるといった問題が生じる。
【０００７】
本発明は、このような現状に鑑みなされたもので、屋根の下地への瓦ユニットの取り付けが簡単で、しかも、下地と瓦ユニットの間の隙間に水が溜まりにくい金属瓦屋根およびその施工方法を提供することを目的としている。
【課題を解決するための手段】
【０００８】
［金属瓦屋根の構造］
前記課題を解決するために本発明の金属瓦屋根は、次のような構造を採用することとした。
すなわち、本発明の金属瓦屋根は、屋根の下地に瓦桟木を固定するとともに、この瓦桟木に瓦ユニット上端の固定片および吊り子を固定してなる金属瓦屋根であって、
前記瓦桟木は、軒の長手方向に複数のブロック台を並べて形成されるものであり、かつ、これらのブロック台の間に、前記下地を流れる水の水路用間隙を備えていることを特徴としている。
【０００９】
本発明の金属瓦屋根によれば、瓦桟木として複数のブロック台を用いて、屋根の下地に瓦ユニットを固定することができる。ブロック台と瓦ユニットは屋根の施工時に一緒に取り扱えるため、このようなブロック台の特性を生かして、屋根の下地に瓦ユニットを位置決めしつつ、同時にブロック台と吊り子を下地に釘打ちすることが可能になる。
この結果、屋根の下地に予め墨出し等を行って瓦桟木を固定する作業を省略することができ、瓦ユニットの固定作業を簡単にすることができる。
なお、ブロック台の形状は、角柱状であるとよい。このような角柱ブロックの側面を台面として使用することで、従来の瓦桟木と同様に瓦ユニットを安定的に支持することができる。
【００１０】
また、本発明の金属瓦屋根によれば、隣り合うブロック台の間に水路用間隙が形成されるため、屋根の下地と瓦ユニットの間に水が浸入しても、この水が瓦桟木で堰き止められるようなことがなく、屋根の勾配に沿って水路用間隙に流れ、軒下に排出される。この結果、野地板や防水シートなどの下地素材を乾燥状態に保ちやすく、これらの下地素材の腐蝕・劣化を抑えることが可能になる。
【００１１】
さらに、瓦桟木のサイズが小さいため、屋根の軽量化が図りやすくなる。特に、耐久性の高い比較的厚手の金属瓦を採用する場合には、本発明の金属瓦屋根構造が有利になる。
【００１２】
前記ブロック台は、ゴム、樹脂等の高反発弾性材料からなるのが望ましい。このような高反発弾性材料を用いることで、瓦ユニットに対してブロック台が適度な緩衝作用を果たし、衝撃に強い金属瓦屋根を実現することができる。また、ブロック台の耐蝕性が良好になるため、屋根の耐久寿命が向上する。
なお、ブロック台の長さは、瓦ユニットの端部を部分的に支持できる程度の極めて短い長さで足りる。このため、上記のような高反発弾性材料を使用しても、瓦桟木の材料コストを節約することができ、屋根全体としては施工コストを抑えやすくなる。
【００１３】
［金属瓦屋根の施工方法］
本発明の金属瓦屋根の施工方法は、屋根の勾配に沿って下から上に向けて瓦ユニットを一列ずつ屋根の下地に固定するようにした金属瓦屋根の施工方法であって、
Ａ．屋根の下地の軒先端に一列目の瓦ユニットを位置決めする工程、
Ｂ．この瓦ユニット上端の固定片の下側にブロック台を、上側に吊り子を重ねてこれらを一体的に前記屋根の下地に釘で固定する工程、
Ｃ．工程Ｂにより屋根の下地に固定された一列目の瓦ユニットの吊り子に、二列目の瓦ユニット下端の係止片を引っ掛けて二列目の瓦ユニットを位置決めする工程、
Ｄ．工程Ｃにより位置決めされた瓦ユニット上端の固定片の下側にブロック台を、上側に吊り子を重ねてこれらを一体的に前記屋根の下地に釘で固定する工程、
Ｅ．工程ＣおよびＤを繰り返すことにより、三列目以降の瓦ユニットを屋根の下地に固定する工程
を含むことを特徴としている。
【００１４】
本発明の金属瓦屋根の施工方法によれば、屋根の下地の軒先端に一列目の瓦ユニットを位置決めし、２列目以降の瓦ユニットを順次、下の列の瓦ユニット上端で位置決めすることができる。これにより、屋根の下地に位置決め用の瓦桟木をあらかじめ固定しておく作業が不要になる。
【００１５】
また、本発明の施行方法では、瓦ユニットとともにブロック台（瓦桟木）および吊り子を同時に釘で屋根の下地に固定する。このため、瓦桟木を固定するための専用の釘打ちが不要になり、比較的少ない釘数で金属瓦屋根の施工を行うことができる。
また、瓦ユニットとブロック台は、一体的に下地に固定されるので、これらの相対的な位置関係にズレが生じることはない。
【００１６】
さらに、瓦ユニットを支持する複数のブロック台（瓦桟木）の間には間隙が形成されるため、これらの間隙が下地を流れる水の通路の役割を果たす。すなわち、屋根の下地と瓦ユニットの間に水が侵入しても、屋根の下方に水が排出されやすく、野地板や防水シートなどの下地素材が劣化・腐蝕しにくくなる。
【００１７】
以上、本発明の金属瓦屋根およびその施工方法を説明したが、これらの発明に本明細書に記載の他の発明を組み合わせてもよいことはもちろんである。また、本発明において、瓦ユニット等を固定する「釘」は、同様な機能を有するものであれば、ビスやネジ等の固定手段であっても構わない。
【発明を実施するための最良の形態】
【００１８】
以下、本発明の実施形態を図面に基づいて説明する。
図１は、実施形態による金属瓦屋根１の軒先付近の斜視図である。図１において、符号２は軒先瓦（瓦ユニット）、符号３，４は本体瓦（瓦ユニット）、符号５は屋根の下地である。下地５の軒先端に沿って一列目の軒先瓦２が置かれ、その上方（水上側）に二列目および三列目の本体瓦３，４が置かれる。軒先瓦２および本体瓦３，４の各列は、図２に示すブロック台２１と吊り子２２により連結される。
【００１９】
軒先瓦２および本体瓦３は、山谷形状の瓦面１０が軒の長手方向に３個連なって単一の瓦ユニットを構成している。図２に示すように、瓦ユニットの一方の端部には、瓦ユニット同士を繋ぐための繋ぎ片１１が形成される。繋ぎ片１１に他の瓦ユニットの反対側の端部を重ねることで、軒の長手方向に瓦ユニットが繋がって列をなす。
【００２０】
これらの瓦ユニットは、耐食性のある金属板からなり、例えばカラー鋼板または塩化ビニル系樹脂やフッ素系樹脂をラミネートしてなる鋼板を、折り曲げ加工またはプレス加工することで形成される。瓦ユニットの縦横寸法はほぼ均一で、瓦面１０の山谷傾斜も揃っている。これにより、各瓦ユニットが軒の長手方向および高さ方向に連結された状態で、図１に示すように、瓦面１０の山と谷が高さ方向に直線上に揃って瓦屋根に美観を与えるようになっている。
【００２１】
図２に示すように、軒先瓦２および本体瓦３の上端部１２には上向きの段差が形成され、この段差が瓦面１０から均一の高さに保たれる。段差の谷部には、瓦ユニットを高さ方向に連結するための固定片１２ａが設けられており、これらの固定片１２ａは、均一な板幅で下地５から一定の高さの平面上に保たれる（図３および図４参照）。また、各固定片１２ａは、軒の長さ方向の直線上に揃っており、軒先端に平行な位置関係にある。
【００２２】
固定片１２ａの手前側には、その板面が盛り上がって段差面に連なる凸条部１２ｂが形成される（図５参照）。この凸条部１２ｂは、固定片１２ａの板面の強度を高め、後述する吊り子２２を固定片１２ａに位置決めしやすくする役割を果たす。
【００２３】
図３に示すように、軒先瓦２および本体瓦３の下端部は、瓦面の下方に折り曲げられる。軒先瓦２の下端部１３は断面Ｌ字形に曲げられており、その先端が軒先を覆うように直線上に揃う（図２参照）。
本体瓦３の下端部１４は、瓦面の山谷形状に沿って断面コ字状に曲げられ（図１参照）、その先端に係止片１４ａを有している。係止片１４ａは、後述する吊り子２２に引っ掛けられるものである。
【００２４】
図５にブロック台２１および吊り子２２の拡大図を示した。ブロック台２１および吊り子２２は、各瓦ユニットの固定片１２ａにそれぞれ一組ずつ用いられる。固定片１２ａの下側にブロック台２１が設けられ、固定片１２ａの上側に吊り子２２が設けられる。
【００２５】
ブロック台２１は、ゴム、プラスチック、木材等からなる角柱状のブロックである。ブロック台２１の長さは、固定片１２ａの長よりもわずかに短い程度であり、ブロック台２１の厚みは、上端部１２の段差よりも十分に大きい。これにより、ブロック台２１の台面に固定片１２ａを載せて下地５の上に瓦ユニットをガタ付きなく支持することが可能になる。
【００２６】
吊り子２２は、金属製の板材を加工してなるもので、矩形の平板部２２ａに屈曲部２２ｂが連なっている（図５参照）。屈曲部２２の先端には舌片２２ｃ，２２ｃが反り上がるように延びる。
屈曲部２２ｂの板面は、平板部２２ａから一旦上方に立ち上がって平板部２２ａの板面よりも下がった位置までくる。固定片１２ａに吊り子２２を載せるとき、凸条部１２ｂの上に屈曲部２２ｂが載って吊り子２２の取付状態を安定させる。
舌片２２ｃ，２２ｃは、瓦ユニットの係止片１４ａ（図３参照）の上に載って瓦ユニットが上方へズレないように突っ張る役割を果たす。
【００２７】
次に、本実施形態の金属瓦屋根の施工方法を説明する。
［軒先瓦（一列目）の固定］
金属瓦屋根１を施工する場合、図６（Ａ）に示すように、まず、下地５の軒先端に沿って軒先瓦２を長手方向に向けて固定する。最初の軒先瓦２を下地５の軒先付近に位置決めし、固定片１２ａの下側にブロック台２１を咬まし、固定片１２ａの上側に吊り子２２を重ねて、これらを固定釘２４で下地５に打ち付ける。一方、軒先瓦２の軒先に近い部分には、補強釘２５を打ち込んで、軒先瓦２の跳ね上がりを抑える。
【００２８】
下地５に最初の軒先瓦２を固定した後、この軒先瓦２の繋ぎ片１１に他の軒先瓦２を繋いで、前述と同様な方法でブロック台２１と吊り子２２とを用いて軒先瓦２を下地５に固定していく。このような作業を繰り返すことで、軒の長さ方向に一列目の軒先瓦２が固定されることになる。
【００２９】
［本体瓦（二列目）の固定］
次に、一列目の軒先瓦２の上方（水上側）に本体瓦３を固定する。この場合、図６（Ｂ）に示すように、最初に軒先瓦２の固定片１２ａに本体瓦３の下端部１４を重ねて、本体瓦３の係止片１４ａを吊り子２２に引っ掛ける。このように軒先瓦２の上側に本体瓦３を位置決めした後、前述の軒先瓦２の固定方法に準じて、本体瓦３の固定片１２ａをブロック台２１および吊り子２２を用いて固定釘２４で下地５に打ち付ける。
次いで、本体瓦３の繋ぎ片１１に他の本体瓦３を繋いで、同様な方法で下地５に他の本体瓦３を固定していくことで、軒先瓦２の上側に二列目の本体瓦３が並んで固定されることになる。
【００３０】
［本体瓦（三列目以降）の固定］
本体瓦４についても、本体瓦３と同じ要領で本体瓦３の上側に一列に並べて固定する。すなわち、本体瓦３の固定片１２ａに本体瓦４の下端部１４を重ね、その係止片１４ａを吊り子２２に引っ掛けて位置決めし、本体瓦４の固定片１２ａをブロック台２１および吊り子２２を用いて固定釘２４で下地５に固定する。
このような作業を繰り返して、本体瓦４よりも上側の本体瓦についても、一列ずつ下地の上方へ向けて固定していき、棟付近まで到達したら棟瓦を取り付けて瓦葺きの施工を完了する。
【００３１】
このような金属瓦屋根１の施工方法によれば、最初の軒先瓦２の位置を基準に他の軒先瓦２および本体瓦３，４を順次並べて固定することができる。このため、各瓦ユニットの位置決めを簡単かつ正確に行うことができ、屋根葺き作業が簡単になる。従来工法のように、下地５に予め瓦桟木を寸法通りに打ち付ける作業は必要なくなくなり、作業者の負担が大幅に軽減される。
【００３２】
また、下地５の上に各瓦ユニットをブロック台２１に載せて支持するめ、従来の瓦桟木を使用する場合と同様に、各瓦ユニットを下地５に安定して支持することができ、ガタ付きやグラ付きの心配もない。
【００３３】
さらに、図７に示すように、ブロック台２１の間に大きな間隙Ｓが形成されるため、このような間隙Ｓが瓦ユニットと下地５との間に入った水の通路になる。すなわち、下地５の上に水が垂れても、図７矢印に示すように、間隙Ｓの間を水が真っ直ぐに通過して軒下に排出されやすくなる。また、固定釘２４は、常にブロック台２１と下地５とを密着させるように打ち込まれるため、その釘打ち部分に水が浸透することもない（図８参照）。
この結果、野地板や防水シートなどの下地素材を乾燥状態に保ちやすく、これらの耐久寿命を長くすることが可能になる。
【００３４】
さらに、従来の瓦桟木よりも短いブロック台２１を瓦桟木として用いることで、金属瓦屋根の軽量化にも役立つ。特に、厚みの大きい丈夫な瓦ユニットを採用する場合には、瓦ユニットによる重量増加分を瓦桟木の軽量化で補って屋根全体としての重量増加を抑えることができる。
【００３５】
本発明の実施形態として金属瓦屋根１を説明したが、本発明の実施形態はこれに限られることなく、種々の変更を伴ってもよい。
前記実施形態の瓦ユニット（軒先瓦２，本体瓦３，４）は、山谷形状の瓦面１０が３個連なったものであるが、その他の実施形態としては、瓦面１０が２個連なったものでよく、また、４個以上連なったものでもよい。
また、前記実施形態では、瓦ユニット（軒先瓦２，本体瓦３，４）とブロック台２１とを別々に扱っているが、作業性を向上させるために、固定片１２ａの下側に予め接着剤等でブロック台２１を固定しておいてもよい。
【図面の簡単な説明】
【００３６】
【図１】本発明の実施形態による金属瓦屋根を示す斜視図である。
【図２】同金属瓦屋根の瓦ユニット（軒先瓦）を示す斜視図である。
【図３】同金属瓦屋根の断面図である。
【図４】同金属瓦屋根の瓦ユニットの連結部を示す拡大断面図である。
【図５】同金属瓦屋根のブロック台および吊り子を説明するための斜視図である。
【図６】同金属瓦屋根の施工方法を説明するもので、（Ａ）は軒先瓦の取付状態を示す断面図、（Ｂ）は本体瓦の取付状態を示す断面図である。
【図７】同金属瓦屋根の排水作用を説明するための平面模式図である。
【図８】従来の金属瓦屋根の排水作用を説明するもので、（Ａ）は断面図、（Ｂ）は平面図である。
【符号の説明】
【００３７】
１    金属瓦屋根
２    軒先瓦（瓦ユニット）
３，４    本体瓦（瓦ユニット）
１０    瓦面
１１    繋ぎ片
１２    上端部
１２ａ  固定片
１３，１４    下端部
１４ａ  係止片
２１    ブロック台
２２    吊り子
２４    固定釘
２５    補強釘
Ｓ    間隙（水路用間隙）
【図１】
2006257635.tif 000003
【図２】
2006257635.tif 000004
【図３】
2006257635.tif 000005
【図４】
2006257635.tif 000006
【図５】
2006257635.tif 000007
【図６】
2006257635.tif 000008
【図７】
2006257635.tif 000009
【図８】
2006257635.tif 000010